(57)【要約】【課題】  光ＩＰネットワークにおいて、スケーラビリティの軽量化を行う。【解決手段】  光ＩＰネットワークを構成する発信者ノード装置２００と着信者ノード装置３００と複数の中継ノード装置１００と、を有し、発信者ノード装置２００と着信者ノード装置３００との間に、パスの確立を要求する複数のパス確立要求に基づいて複数のパスを併せて確立するネットワークにおいて、送信側でとりまとめ可能な複数のパス確立要求をとりまとめて複数パス要求情報を生成し、または、とりまとめ可能な複数のパス確立要求を後でとりまとめることができるように識別情報により関連付けた複数パス要求情報を生成し、この複数パス要求情報を受信・中継する中継ノード装置１００と、この中継された複数パス要求情報を受信する着信者ノード装置２００とで、同一経路にて複数のパスを確立するように構成した。【選択図】      図１
2005244316.tif 000002
【特許請求の範囲】
【請求項１】
光ＩＰネットワークを構成する発信者ノード装置と着信者ノード装置と複数の中継ノード装置と、を有し、前記発信者ノード装置と前記着信者ノード装置との間に、パスの確立を要求する複数のパス確立要求に基づいて複数のパスを併せて確立するネットワークにおいて、
前記発信者ノード装置は、
同じ着信者ノード装置への複数のパス確立要求がある場合に、この複数のパス確立要求を含む複数パス要求情報を生成する複数パス要求情報生成手段と、
前記複数パス要求情報生成手段によって生成された複数パス要求情報を隣接する中継ノード装置に送信する発信側のパス要求情報送信手段と、
前記複数のパス確立要求に基づいて前記パスを確立させる発信側のパス確立手段とを備え、
前記中継ノード装置は、
前記発信者ノード装置が送信し、または他の中継ノード装置が中継した前記複数パス要求情報を受信する中継側のパス要求情報受信手段と、
前記中継側のパス要求情報受信手段によって受信された複数パス要求情報から各々のパス確立要求を確認する中継側の複数パス要求情報確認手段と、
前記中継側の複数パス要求情報確認手段によって確認した各々のパス確立要求に基づいてパスを併せて確立可能かを確認する中継側のパス確立確認手段と、
前記複数パス要求情報を隣接する中継ノード装置または着信者ノード装置に送信する中継側のパス要求情報送信手段と、
前記パス確立要求に基づいて前記パスを確立させる中継側のパス確立手段とを備え、
前記着信者ノード装置は、
前記複数パス要求情報を前記中継ノード装置から受信する着信側のパス要求情報受信手段と、
前記着信側のパス要求情報受信手段によって受信された前記複数パス要求情報から各々のパス確立要求を確認する受信側の複数パス要求情報確認手段と、
前記受信側の複数パス要求情報確認手段によって確認した各々のパス確立要求に基づいて複数のパスを併せて確立可能かを確認する着信側のパス確立確認手段と、
前記着信側のパス確立確認手段が確認した後、パス確立要求に基づいて前記パスを確立させる着信側のパス確立手段とを備えること、
を特徴とする光ＩＰネットワーク。
【請求項２】
前記複数パス要求情報は、複数のパス確立要求を束ねた情報であり、各パス確立要求が１つのパス要求情報に含まれること、
を特徴とする請求項１に記載の光ＩＰネットワーク。
【請求項３】
光ＩＰネットワークを構成する発信者ノード装置と着信者ノード装置と複数の中継ノード装置と、を有し、前記発信者ノード装置と前記着信者ノード装置との間に複数のパスを併せて確立するネットワークにおいて、
前記発信者ノード装置は、
同じ着信者ノード装置への複数のパス確立要求がある場合に、この複数のパス確立要求のうちの少なくとも１つのパス確立要求と前記複数のパス確立要求を相互に関連付けてとりまとめる識別情報とを含み、前記複数のパス確立要求を充足する数の複数パス要求情報を生成する複数パス要求情報生成手段と、
前記複数パス要求情報生成手段によって生成された複数パス要求情報を、順次隣接する中継ノード装置に送信する発信側のパス要求情報送信手段と、
前記パス確立要求に基づいて前記パスを確立させる発信側のパス確立手段とを備え、
前記中継ノード装置は、
前記発信者ノード装置が送信し、または他の中継ノード装置が中継した前記複数パス要求情報を順次受信する中継側のパス要求情報受信手段と、
前記中継側のパス要求情報受信手段によって順次受信された複数パス要求情報の前記識別情報から関連付けられた各々のパス確立要求を確認する中継側の複数パス要求情報確認手段と、
前記中継側の複数パス要求情報確認手段によって確認した各々のパス確立要求に基づいてパスを併せて確立可能かを確認する中継側のパス確立確認手段と、
前記複数パス要求情報を隣接する中継ノード装置または着信者ノード装置に順次送信する中継側のパス要求情報送信手段と、
前記パス確立要求に基づいて前記パスを確立させる中継側のパス確立手段とを備え、
前記着信者ノード装置は、
前記複数パス要求情報を前記中継ノード装置から順次受信する着信側のパス要求情報受信手段と、
前記着信側のパス要求情報受信手段によって順次受信された前記複数パス要求情報の前記識別情報から各々のパス確立要求を確認する受信側の複数パス要求情報確認手段と、
前記受信側の複数パス要求情報確認手段によって確認した各々のパス確立要求に基づいて複数のパスを併せて確立可能かを確認する着信側のパス確立確認手段と、
前記着信側のパス確立確認手段が確認した後、パス確立要求に基づいて前記パスを確立させる着信側のパス確立手段とを備えること、
を特徴とする光ＩＰネットワーク。
【請求項４】
前記中継ノード装置と前記着信者ノード装置の前記複数パス要求情報確認手段は、
それぞれのパス要求情報受信手段によって受信されたパス要求情報に含まれる識別情報によって発信者ノード装置と着信者ノード装置の間にＮ本のパス設定がなされる予定であることを確認すること、
を特徴とする請求項３に記載の光ＩＰネットワーク。
【請求項５】
前記中継ノード装置が、
前記中継側の複数パス要求情報確認手段によって確認されたパス要求情報に含まれる識別情報によって、発信者ノード装置と着信者ノード装置間に確立される予定のＮ本のパス要求受信に備え、Ｎ本のパス要求の待受時間を設定するＴｉｍｅｒ設定手段を備えること、
を特徴とする請求項３または請求項４に記載の光ＩＰネットワーク。
【請求項６】
前記中継ノード装置が、
前記中継側のパス要求情報送信手段は、前記中継側の複数パス要求情報確認手段によって確認されたパス要求情報に含まれる識別情報から、発信者ノード装置と着信者ノード装置間に確立される予定のＮ本のパス要求情報のうち２本目以降のパス要求情報であることを確認し、かつ中継側のパス確立確認手段によってパスが確立可能であることを確認した場合、１本目と同じ隣接ノード装置へパス要求情報を送信すること
を特徴とする請求項３または請求項４に記載の光ＩＰネットワーク。
【請求項７】
前記中継ノード装置が、
前記中継側の複数パス要求情報確認手段によって確認されたパス要求情報に含まれる識別情報から発信者ノード装置と着信者ノード装置間に確立される予定のＮ本のパス要求情報の待受時間の間に、発信者ノード装置と着信者ノード装置間にて確立される予定のＮ本以外のパス要求情報を受信した際に、パス確立を拒否するパス確立拒否手段を備えること、
を特徴とする請求項５に記載の光ＩＰネットワーク。
【請求項８】
前記中継ノード装置が、
前記中継側のパス確立確認手段によってパス確立が不可能と判断した際に、Ｎ本のパス要求情報受信のために設定した待受時間を解除するＴｉｍｅｒ設定解除手段を備えること、
を特徴とする請求項５または請求項７に記載の光ＩＰネットワーク。
【請求項９】
光ＩＰネットワークを構成する発信者ノード装置と着信者ノード装置と複数の中継ノード装置と、を有し、複数のパス確立要求を、前記発信者ノード装置から、前記中継ノード装置を介して前記着信者ノード装置に送信し、複数のパスを前記発信者ノード装置と前記着信者ノード装置との間に併せて確立するネットワークにおいて、
前記発信者ノード装置が、
前記着信者ノード装置との間に前記複数のパスを併せて確立させる発信側のパス確立手段と、
前記発信側のパス確立手段によって確立された各々のパスを束ねて広告するための発信側の広告内容検討手段と、
前記発信側の広告内容検討手段によって検討した結果を広告するための発信側の広告手段とを備え、
前記着信者ノード装置が、
前記発信者ノード装置との間に前記複数のパスを確立させる着信側のパス確立手段と、
前記着信側のパス確立手段によって確立された各々のパスを束ねて広告するための着信側の広告内容検討手段と、
前記着信側の広告内容検討手段によって検討した結果を広告するための着信側の広告手段を備えること、
を特徴とする光ＩＰネットワーク。
【請求項１０】
光ＩＰネットワークを構成する発信者ノード装置と着信者ノード装置と複数の中継ノード装置と、を有し、前記発信者ノード装置と前記着信者ノード装置との間に、パスの確立を要求する複数のパス確立要求に基づいて複数のパスを併せて確立するネットワークにおけるパスの確立を行う発信者ノード装置であって、
同じ着信者ノード装置への複数のパス確立要求について、次のいずれかの複数パス要求情報を生成する複数パス要求情報生成手段と、
（ａ）前記複数のパス確立要求を含む第１の複数パス要求情報
（ｂ）前記複数のパス確立要求のうちの１つまたは一部のパス確立要求と、前記複数のパス確立要求を相互に関連付けてとりまとめる識別情報とを含み、前記複数のパス確立要求を充足する数の第２の複数パス要求情報
前記生成した複数パス要求情報を、隣接する中継ノード装置を経由して前記着信者ノード装置に送信するパス要求情報送信手段と、
前記複数のパス確立要求に基づいて隣接するノード装置とパスの確立ができるかを確認するパス確立確認手段と、
前記パス確立要求に基づいてパスを確立するパス確立手段と、
を備えることを特徴とする発信者ノード装置。
【請求項１１】
光ＩＰネットワークを構成する発信者ノード装置と着信者ノード装置と複数の中継ノード装置と、を有し、前記発信者ノード装置と前記着信者ノード装置との間に、パスの確立を要求する複数のパス確立要求に基づいて複数のパスを併せて確立するネットワークにおけるパスの確立を行う中継ノード装置であって、
前記発信者ノード装置が生成して送信する次のいずれかの複数パス要求情報を受信する中継側のパス要求情報受信手段と、
（ａ）同じ着信者ノード装置への複数のパス確立要求を含む第１の複数パス要求情報
（ｂ）同じ着信者ノード装置への複数のパス確立要求のうちの少なくとも１つまたは一部のパス確立要求と、前記複数のパス確立要求を相互に関連付けてとりまとめる識別情報とを含み、前記複数のパス確立要求を充足する数の第２の複数パス要求情報
前記受信した複数パス要求情報に基づいて隣接するノード装置とパスの確立ができるか否かを確認するパス確立確認手段と、
前記隣接する中継ノード装置を経由して前記着信者ノード装置に送信するパス要求情報送信手段と、
前記パス確立要求に基づいてパスを確立するパス確立手段と、
を備えることを特徴とする中継ノード装置。
【請求項１２】
光ＩＰネットワークを構成する発信者ノード装置と着信者ノード装置と複数の中継ノード装置と、を有し、前記発信者ノード装置と前記着信者ノード装置との間に、パスの確立を要求する複数のパス確立要求に基づいて複数のパスを併せて確立するネットワークにおけるパスの確立を行う着信者ノード装置であって、
前記発信者ノード装置が生成して送信し、前記中継ノード装置が中継する次のいずれかの複数パス要求情報を受信するパス要求情報受信手段と、
（ａ）同じ着信者ノード装置への複数のパス確立要求を含む第１の複数パス要求情報
（ｂ）同じ着信者ノード装置への複数のパス確立要求のうちの少なくとも１つまたは一部のパス確立要求と、前記複数のパス確立要求を相互に関連付けてとりまとめる識別情報とを含み、前記複数のパス確立要求を充足する数の第２の複数パス要求情報
前記受信した複数パス要求情報に基づいて隣接するノード装置とパスの確立ができるか否かを確認するパス確立確認手段と、
前記パス確立要求に基づいてパスを確立するパス確立手段と、
を備えることを特徴とする着信者ノード装置。
【請求項１３】
光ＩＰネットワークを構成する発信者ノード装置と着信者ノード装置と複数の中継ノード装置と、を有し、前記発信者ノード装置と前記着信者ノード装置との間に、パスの確立を要求する複数のパス確立要求に基づいて複数のパスを併せて確立するネットワークにおけるパス確立方法であって、
前記発信者ノード装置が、同じ着信者ノード装置への複数のパス確立要求について、次のいずれかの複数パス要求情報を複数パス要求情報生成手段によって生成する手順、
（ａ）前記複数のパス確立要求を含む第１の複数パス要求情報か、
（ｂ）前記複数のパス確立要求のうちの１つまたは一部のパス確立要求と、前記複数のパス確立要求を相互に関連付けてとりまとめる識別情報とを含み、前記複数のパス確立要求を充足する数の第２の複数パス要求情報
前記生成した複数パス要求情報を、パス要求情報送信手段によって隣接する中継ノード装置を経由して前記着信者ノード装置に送信する手順、
を実行することで、
当該発信者ノード装置と、前記複数パス要求情報を中継する中継ノード装置と、前記中継された複数パス要求情報を着信する着信者ノード装置とによる同一経路に複数のパスを確立するようにしたこと、
を特徴とする受信するパス確立方法。
【請求項１４】
光ＩＰネットワークを構成する発信者ノード装置と着信者ノード装置と複数の中継ノード装置と、を有し、前記発信者ノード装置と前記着信者ノード装置との間に、パスの確立を要求する複数のパス確立要求に基づいて複数のパスを併せて確立するネットワークにおけるパス確立方法であって、
前記発信者ノード装置が生成して送信する次のいずれかの複数パス要求情報をパス要求情報受信手段によって受信する手順、
（ａ）同じ着信者ノード装置への複数のパス確立要求を含む第１の複数パス要求情報
（ｂ）同じ着信者ノード装置への複数のパス確立要求のうちの少なくとも１つまたは一部のパス確立要求と、前記複数のパス確立要求を相互に関連付けてとりまとめる識別情報とを含み、前記複数のパス確立要求を充足する数の第２の複数パス要求情報
前記受信した複数パス要求情報に基づいて隣接するノード装置とパスの確立ができるか否かを確認するパス確立確認手段によってパスの確立を確認する手順、
前記、隣接する中継ノード装置を経由して前記着信者ノード装置に送信するパス要求情報送信手段によって複数パス要求情報を送信する手順、
前記パス確立要求に基づいてパスを確立するパス確立手段によってパスを確立する手順、
を備えることにより同一経路にて複数のパスを確立することを特徴とするパス確立方法。
【請求項１５】
光ＩＰネットワークを構成する発信者ノード装置と着信者ノード装置と複数の中継ノード装置と、を有し、前記発信者ノード装置と前記着信者ノード装置との間に、パスの確立を要求する複数のパス確立要求に基づいて複数のパスを併せて確立するネットワークにおけるパス確立方法であって、
前記発信者ノード装置が生成して送信し、前記中継ノード装置が中継する次のいずれかの複数パス要求情報をパス要求情報受信手段によって受信する手順、
（ａ）同じ着信者ノード装置への複数のパス確立要求を含む第１の複数パス要求情報
（ｂ）同じ着信者ノード装置への複数のパス確立要求のうちの少なくとも１つまたは一部のパス確立要求と、前記複数のパス確立要求を相互に関連付けてとりまとめる識別情報とを含み、前記複数のパス確立要求を充足する数の第２の複数パス要求情報
前記受信した複数パス要求情報に基づいて隣接するノード装置とパスの確立ができるか否かを確認するパス確立確認手段によってパスの確立を確認する手順、
前記パス確立要求に基づいてパスを確立するパス確立手段によってパスを確立する手順、
を備えることにより同一経路にて複数のパスを確立することを特徴とするパス確立方法。
【請求項１６】
請求項１３ないし請求項１５のいずれか１項に記載のパス確立方法をコンピュータに実行させることを特徴とするパス確立方法を実行するプログラム。
【発明の詳細な説明】
【技術分野】
【０００１】
本発明は、マルチレイヤネットワークにおいて、スケーラビリティの軽量化のためのリソース広告と、リソース広告内容の軽量化を目的としたパス設定とを可能とする光ＩＰネットワークなどに関する。
【背景技術】
【０００２】
光ＩＰネットワークのリソース広告方法とパス設定方法が知られている（例えば、非特許文献１と非特許文献２と非特許文献３参照）。
【非特許文献１】L.Berger, Generalized Multi-Protocol Label Switching（GMPLS） Signaling Functional Description, RFC3471
【非特許文献２】K.Kompella et al, Routing Extension in Support of Generalized Multi-Protocol Label Switching, draft-ietf-ccamp-gmpls-routing.
【非特許文献３】K.Kompella and Yakov Rekher,LSP Hierarchy with Generalized MPLS TE,draft-ietf-mpls-lsp hierarchy.
【発明の開示】
【発明が解決しようとする課題】
【０００３】
しかしながら、光ＩＰネットワークはマルチレイヤネットワークであるため、現在の規定では下位レイヤで確立したパスは上位レイヤのリンクとして広告され、広告される経路情報の数が増加し、スケーラビリティを低下させることになる。
【０００４】
本発明は、このような従来の課題を解決するためになされたもので、広告される経路情報の数を削減するために同じ発信者ノードと着信者ノードの間で確立されるパスのうち、要求条件（例えば１０Ｍのパスを張りたいといった帯域に関する条件やプライオリティのレベルが２であるといったプライオリティに関する条件）に基づき束ねることが可能なパスを１つのパスとして取り扱うことによって、マルチレイヤにおけるリソース広告量を軽量化するなどのスケーラビリティの軽量化を可能とするものである。
【課題を解決するための手段】
【０００５】
第１の発明（光ＩＰネットワーク）は、光ＩＰネットワークを構成する発信者ノード装置と着信者ノード装置と複数の中継ノード装置と、を有し、前記発信者ノード装置と前記着信者ノード装置との間に、パスの確立を要求する複数のパス確立要求に基づいて複数のパスを併せて確立するネットワークにおいて、送信側でとりまとめ可能な複数のパス確立要求をとりまとめて複数パス要求情報を生成し（請求項１）、またはとりまとめ可能な複数のパス確立要求を後でとりまとめることができるように識別情報により関連付けた複数パス要求情報を生成し（請求項３）、この複数パス要求情報を受信・中継する中継ノード装置と、この中継された複数パス要求情報を受信する着信者ノード装置とで、同一経路にて複数のパスを確立するように構成した。
【０００６】
例えば、同一経路にて、同一のＭｅｔｒｉｃ値（パスを確立するための条件の１つ）によって確立されているようなパスであれば、パスをバンドルすることができる（とりまとめ可能）。請求項１の発明では、とりまとめ可能な複数のパス確立要求をとりまとめて含む複数パス要求情報（第１の複数パス要求情報）を生成し、この複数パス要求情報に基づいて、同一経路にてバンドル可能な複数のパスを張ることでスケーラビリティの軽量化を図る。また、請求項３の発明では、とりまとめ可能な複数のパス確立要求を後でとりまとめることができるように関連付けする識別情報を含んだ複数パス要求情報（第２の複数パス要求情報）を生成し、この複数パス要求情報に基づいて、同一経路にてバンドル可能な複数のパスを張ることでスケーラビリティの軽量化を可能にする。
【０００７】
なお、「パス確立要求に基づいて」とは、例えば、「１０Ｍでパスを張りたい」といった帯域の要求、「プライオリティの高いパスを張りたい」といったプライオリティの要求を基に、ということである（以下、各請求項について同じ）。また、請求項３の発明について、「前記複数のパス確立要求を充足する数」とは、生成する複数パス要求情報の数を規定するものであり、例えば５つあるパス確立要求について、これを１つずつ含む複数パス要求情報を生成する場合は、パス確立要求が重複しない５つの複数パス要求情報の生成が必要であること、パス確立要求を２つ含むものと３つ含むものとを生成するといった場合は、重複しないように、計２つの複数パス要求情報を生成することが必要であることを意味する。
【０００８】
第２の発明（光ＩＰネットワーク）は、光ＩＰネットワークを構成する発信者ノード装置と着信者ノード装置と複数の中継ノード装置と、を有し、複数のパス確立要求を、前記発信者ノード装置から、前記中継ノード装置を介して前記着信者ノード装置に送信し、複数のパスを前記発信者ノード装置と前記着信者ノード装置との間に併せて確立するネットワークにおいて、同一経路に併せて確立させるパス確立手段により確立された複数のパスについて、発信者ノード装置と着信者ノード装置が、それぞれ広告内容を検討して束ねて広告を行うようにした（請求項９）。
【０００９】
この請求項９の構成によれば、同じ発信者ノード装置と着信者ノード装置との間に確立された複数のパスについて、各々のパスを束ねて広告するので、広告する経路情報を減らすことができるというスケーラビリティの軽量化が可能となる（ルーティングによる軽量化）。例えば、発信者ノード装置は、同じ着信者ノード装置との間に複数のパスを確立することを中継ノード装置に把握させ、各々のパスを個別で確立させ、発信者ノード装置が同じ着信者ノード装置との間に確立する予定の複数パスが確立された際に、同じ経路にて確立された複数のパスを１つのパスとして広告することができるため、広告する経路情報を減らすことができ、スケーラビリティの軽量化が可能となる。なお、この請求項９の発明では、どのように複数のパスを張るか（パスを確立するか）は任意であり、前記した請求項１の構成によって複数のパスを確立してもよいし、他の手法によりパスを確立してもよい。
【００１０】
第３の発明（発信者ノード装置）は、パスの確立を要求する複数のパス確立要求に基づいて複数のパスを併せて確立するネットワークにおける発信者ノード装置である。この発信者ノード装置は、送信側でとりまとめ可能な複数のパス確立要求をとりまとめて複数パス要求情報を生成、またはとりまとめ可能な複数のパス確立要求を後でとりまとめることができるように識別情報により関連付けた複数パス要求情報を生成し、この複数パス要求情報を送信し、光ＩＰネットワークの同一経路にて複数のパスを確立する（請求項１０）。
【００１１】
第４の発明（中継ノード装置）は、パスの確立を要求する複数のパス確立要求に基づいて複数のパスを併せて確立するネットワークにおける中継ノード装置である。この中継ノード装置は、とりまとめ可能な複数のパス確立要求をとりまとめた複数パス要求情報、またはとりまとめ可能な複数のパス確立要求を後でとりまとめることができるように識別情報により関連付けた複数パス要求情報を受信し、中継すると共に、含まれているパス要求情報に基づいてパスを確立することにより、光ＩＰネットワークの同一経路にて複数のパスを確立する（請求項１１）。
【００１２】
第５の発明（着信者ノード装置）は、パスの確立を要求する複数のパス確立要求に基づいて複数のパスを併せて確立するネットワークにおける着信者ノード装置である。この着信者ノード装置は、とりまとめ可能な複数のパス確立要求をとりまとめて複数パス要求情報、またはとりまとめ可能な複数のパス確立要求を後でとりまとめることができるように識別情報により関連付けた複数パス要求情報を、中継ノード装置を介して受信し、含まれているパス要求情報に基づいて、光ＩＰネットワークの同一経路にて複数のパスを確立する（請求項１２）。
【００１３】
第６の発明（パス確立方法）は、光ＩＰネットワークを構成する発信者ノード装置と着信者ノード装置と複数の中継ノード装置と、を有し、前記発信者ノード装置と前記着信者ノード装置との間に、パスの確立を要求する複数のパス確立要求に基づいて複数のパスを併せて確立するネットワークにおけるパス確立方法である（請求項１３〜請求項１５）。
【００１４】
第７の発明（パス確立方法を実行するプログラム）は、請求項１３ないし請求項１５のいずれか１項に記載のパス確立方法をコンピュータに実行させる。このプログラムは、コンピュータのＲＡＭ（Random Access Memory）などの記憶手段上に読み出されて、ＣＰＵ（Central Processing Unit）により解釈・実行される。
【発明の効果】
【００１５】
請求項１に記載した発明によれば、ＩＰ光ネットワークにおいて、同じ着信者ノード装置への複数のパス確立要求をとりまとめ、複数のパス確立要求を含む複数パス要求情報を着信者ノード装置に送信して同一経路にて複数のパスを併せて確立するので、ＩＰ光ネットワークにおいて、シグナリングによるスケーラビリティの軽量化が可能となる。また、このようにすることで、例えば広告する経路情報の数を減らすことができ、ルーティングによるスケーラビリティの軽量化も可能となる。
【００１６】
請求項２に記載した発明によれば、複数のパス確立要求が１つのパス要求情報（複数パス要求情報）に含まれるので、確実にスケーラビリティの軽量化が可能となる。
【００１７】
請求項３に記載した発明によれば、光ＩＰネットワークにおいて、同じ着信者ノード装置への複数のパス確立要求を、後でとりまとめることができるように関連付ける識別情報を含んだ複数パス要求情報を着信側ノード装置に送信して、同一経路にて複数のパスを併せて確立するので、ＩＰ光ネットワークにおいて、シグナリングによるスケーラビリティの軽量化が可能となる。また、このようにすることで、例えば広告する経路情報の数を減らすことができ、ルーティングによるスケーラビリティの軽量化も可能となる。
【００１８】
請求項４に記載した発明によれば、予め、パス確立予定を知ることができると、予定以外のパスが張られることを拒否したり、張られる予定のパスのためにリソースをあけておくことなどが可能となる。
【００１９】
請求項５に記載した発明によれば、待ち受け時間を設定することで、他の処理との調和を図ることができる。
【００２０】
請求項６に記載した発明によれば、複数パス要求情報を複数送信する場合でも、確実に同一経路にて複数のパスを確立することができる。
【００２１】
請求項７に記載した発明によれば、待ち受け時間の間に他のパス要求情報を受信した際は、そのパス要求情報についてのパス確立を拒否するので、Ｎ本のパスを確立するためのリソースを他のパスを確立するために使われてしまうことがなく、確実に同一経路にてＮ本のパスを確立することができる。
【００２２】
請求項８に記載した発明によれば、パス確立が不可能と判断した際に、設定した待ち受け時間を解除するので、その分、他の要求を処理することができ、ネットワークの負荷増大を防止することができる。
【００２３】
請求項９に記載した発明によれば、確立された各々のパスを束ねて広告するので、広告する経路情報の数を減らすことが可能となり、これによってマルチレイヤにおけるリソース広告量を軽量化するといったようなスケーラビリティの軽量化が可能となる（ルーティングによるスケーラビリティの軽量化）。
【００２４】
請求項１０〜請求項１５に記載した発明（ノード装置・パス確立方法）によれば、請求項１や請求項３に記載したような光ＩＰネットワークの構築を行うことができる。
【００２５】
請求項１６に記載した発明によれば、コンピュータを用いて請求項１３〜請求項１５に記載の光パス確立方法を実行することができる。
【発明を実施するための最良の形態】
【００２６】
以下、図面を参照して本発明の光ＩＰネットワーク、発信者ノード装置、中継ノード装置、着信者ノード装置、パス確立方法、およびパス確立方法を実行するプログラムを実施するための最良の形態（以下「実施の形態」という）について、第１実施形態と第２実施形態とに分けて詳細に説明する。
【００２７】
≪第１実施形態≫
まず、本発明の第１実施形態を、図面を参照して説明する。なお、この第１実施形態は、光ＩＰネットワーク（適宜「マルチレイヤリソース広告を行うネットワーク」という）において、着信者ノード装置が同じであり、とりまとめ可能な複数のパス確立要求を含む複数パス要求情報（第１の複数パス要求情報）に基づいて同一経路に複数のパスを同時に（併せて）確立するものである。
図１は、本発明の第１実施形態に係るマルチレイヤリソース広告ネットワークのネットワーク構成図である。
【００２８】
図１に示すように、マルチレイヤリソース広告を行うネットワークは、中継ネットワーク１０を構成する中継ノード装置１００と、この中継ネットワーク１０と通信可能に接続された発信者ノード装置２００、および着信者ノード装置３００とを含むように構成させる。なお、「マルチレイヤリソース広告」とは、光ＩＰネットワークのようなマルチレイヤネットワークにおいて確立されたパスの内容をネットワーク上の機器に広告することである。
【００２９】
なお、中継ノード装置１００、発信者ノード装置２００、および着信者ノード装置３００は、光クロスコネクト、ルータ、やスイッチなどからなる装置であり、中継ネットワーク１０に含まれる各装置は、互いに光ファイバで接続されるようにしてもよい。中継ノード装置１００、発信者ノード装置２００、および着信者ノード装置３００は、ＲＦＣ３４７３などのＲＳＶＰＴＥ（Resource reSerVation Protocol-Traffic Engineering）に準拠してパスを確立させるようになっている。
【００３０】
中継ノード装置１００は、複数ノードにて構成され、その個数は特に限定されるものではない。なお、説明の都合上、中継ノード装置を総称するときは符号１００を用い、任意の１つの中継ノード装置を指すときは符号１００−ｎを用い（ｎは自然数）、個別に中継ノード装置を指すときは前記したｎを具体的数字にした符号１００−１、１００−２、１００−３などを用いることとする。
【００３１】
発信者ノード装置２００は、後記するパス要求情報を送信し、中継ノード装置１００を経由して着信者ノード装置３００にパスを確立するようになっている。中継ノード装置１００−１は、発信者ノード装置２００からの要求をうけ、下位レイヤのパスを確立してもよい。ちなみに、図１では、発信者ノード装置２００と着信者ノード装置３００との間には、中継ノード装置１００−１、中継ノード装置１００−２、中継ノード装置１００−４によって中継されるパスが確立されて（パスが張られて）いることを示す。なお、図１において、発信者ノード装置２００および着信者ノード装置３００を各１つしか記載していないが、図示しないその他の発信者ノードやその他の着信者ノードが複数存在するものとする。
【００３２】
（中継ノード装置）
図２は、本発明の第１実施形態に係る中継ノード装置のブロック構成図である。図２に示すように、中継ノード装置１００は、中継側のパス要求情報受信手段１１０、中継側の複数パス要求情報確認手段１２０、中継側のパス確立確認手段１３０、中継側のパス要求情報送信手段１４０、中継側のパス確立手段１５０を含むように構成される。なお、図２では、隣接するノード装置は、発信者ノード装置２００と着信者ノード装置３００であるが、隣接する一方あるいは隣接する双方が他の中継ノード装置１００になる場合もある。
【００３３】
中継側のパス要求情報受信手段１１０は、パスを確立させるためのパス要求情報（単一のパス確立要求を含む）や複数パス要求情報（複数のパス確立要求を含む）を発信者ノード装置２００（あるいは隣接する他の中継ノード装置１００）から受信し、受信されたこれら情報を複数パス要求情報確認手段１２０に出力するようになっている。
【００３４】
中継側の複数パス要求情報確認手段１２０は、複数パス要求情報に複数パス確立要求が含まれていることを確認し、各々のパス確立要求の内容を確認する。併せて、パス要求情報に含まれているパス確立要求の内容も確認する。
【００３５】
中継側のパス確立確認手段１３０は、前記確認したパス確立要求に基づいて中継ノード装置１００にてパスが確立可能かを確認する。その結果、パスが確立可能である場合は、中継側のパス要求情報送信手段１４０に、パス要求情報や複数パス要求情報を出力してその送信を指示する。
中継側のパス要求情報送信手段１４０は、隣接する中継ノード装置１００（最終的には着信者ノード装置３００）にパス要求情報や複数パス要求情報を送信する手段である。
【００３６】
（発信者ノード装置）
図３は、本発明の第１実施形態に係る発信者ノード装置のブロック構成図である。図３に示すように、発信者ノード装置２００は、パス要求情報生成手段２１０、複数パス要求情報生成手段２２０、発信側のパス要求情報送信手段２３０、発信側のパス確立手段２４０、発信側の広告内容検討手段２５０、発信側の広告手段２６０を含むように構成される。
【００３７】
パス要求情報生成手段２１０は、着信者ノード装置３００との間のパス確立を行うにあたり、発信者ノード装置２００が要求すること（パス確立要求の内容）をパス要求情報として生成する処理を行うようになっている。パス要求情報の中には、１つのパス確立要求が含まれる。例えば、プライオリティ１で帯域１０Ｍのパスを確立というパス確立要求を含むパス要求情報、プライオリティ３で帯域２０Ｍのパスを確立というパス確立要求を含むパス要求情報、プライオリティ７で帯域２０Ｍのパスを確立というパス確立要求を含むパス確立要求などをそれぞれ生成する。
【００３８】
複数パス要求情報生成手段２２０は、生成されたパス要求情報について、同じ着信者ノード装置３００へのパス要求情報が複数ある場合は、これをとりまとめて（１つに束ねて）、複数のパス確立要求を含む複数パス要求情報を１つ生成して発信側のパス要求情報送信手段２３０に出力するようになっている。なお、次の表１に、複数パス要求情報の構成例を示す。この表１に示されるように、第１実施形態の複数パス要求情報（第１の複数パス要求情報）は、パス確立要求１、パス確立要求２といったような複数のパス確立要求を含んで構成される。
【００３９】
【表１】
2005244316.tif 000003
【００４０】
発信側のパス要求情報送信手段２３０は、発信者ノード装置２００が中継ネットワークに対してパス確立要求および複数パス確立要求の送信を行うものである。例えば、発信者ノード装置２００は、中継ネットワーク１０の中継ノード装置１００−１に対し（図１参照）、前記したパス要求情報や複数パス要求情報をのせたＰＡＴＨメッセージを送信する手段である。
【００４１】
発信側のパス確立手段２４０は、経路となる中継ノード装置１００および着信者ノード装置３００と協働して、発信者ノード装置２００が要求した前記パス確立要求にてパスを確立する手段である。詳しくは図５を参照して後で説明するが、パスの確立は、例えば次のように行う。（１）発信者ノード装置２００が着信者ノード装置３００に対して、複数のパス確立要求を行う。つまり、発信者ノード装置２００が中継ネットワーク１０（経路となる中継ノード装置１００）を経由して、着信者ノード装置３００まで複数パス要求情報をのせたＰＡＴＨメッセージを送信する。（２）各ノード装置（１００，２００，３００）は、パス確立要求の内容にてパスを確立することができるリソースが隣接するノード装置にあいているかどうかを、このＰＡＴＨメッセージにより確認する。（３）確認後、ＲＥＳＶメッセージを着信者ノード装置３００から中継ネットワーク１０を経由して送信し、発信者ノード装置２００がＲＥＳＶメッセージを受け取ることによってパス確立が可能であることを把握する。（４）把握後、着信者ノード装置３００との間に各々のパスを確立する。
【００４２】
ちなみに、複数のパス確立要求を含む複数パス要求情報を１つ送ることで、複数のパス要求情報を送る場合に比べて、ＰＡＴＨメッセージやＲＥＳＶメッセージの送信回数を減らすことが可能になる。具体的には、３本のパスを確立しようとすると場合、各パスについて発信者ノード装置２００と着信者ノード装置３００との間に３台の中継ノード装置１００が直列に存在するとすれば（図１参照）、１本のパスについて４つのＰＡＴＨメッセージの送信が必要であることから、３本のパスについては合計１２のＰＡＴＨメッセージの送信が必要になる。しかし、本実施形態のようにパス確立要求（パス確立情報）を１つにまとめることで、合計４つのＰＡＴＨメッセージの送信ですませることができる。また、このようにまとめることで、ＲＥＳＶメッセージの送信も少ない数ですませることができる。
【００４３】
発信側の広告内容検討手段２５０は、発信側のパス確立手段２４０によって確立された発信者ノード装置２００との間のパスをどのように広告するかを検討する手段である。検討の内容については、第１実施形態の終わりの部分で説明する。
発信側の広告手段２６０は、発信側の広告内容検討手段２５０での検討結果を広告する手段である。
これによって、発信者ノード装置２００と着信者ノード装置３００が、他の装置（中継ノード装置１００など）に対して、両ノード装置２００，３００の間にパスが存在することを知らせる。
【００４４】
（着信者ノード装置）
図４は、本発明の第１実施形態に係る着信者ノード装置のブロック構成図である。図４に示すように、着信者ノード装置３００は、着信側のパス要求情報受信手段３１０、着信側の複数パス要求情報確認手段３２０、着信側のパス確立確認手段３３０、着信側のパス確立手段３４０、着信側の広告内容検討手段３５０、着信側の広告手段３６０を含むように構成される。
【００４５】
着信側のパス要求情報受信手段３１０は、発信者ノード装置２００から送信され、中継ノード装置１００によって中継されるパス要求情報や複数パス要求情報を受信する手段であり、受信したパス要求情報や複数パス要求情報を着信側の複数パス要求情報確認手段３２０に出力する。
【００４６】
着信側の複数パス要求情報確認手段３２０は、パス要求情報や複数パス要求情報に含まれるパス確立要求を確認する手段である。
【００４７】
着信側パス確立確認手段３３０は、複数パス要求情報確認手段３２０で確認したパス確立要求に基づいて発信者ノード装置２００との間でのリソースなどを考慮してパス確立がそれぞれ可能かを確認する手段である。ちなみに、着信側のパス確立確認手段３３０は、（１）パス要求情報が一つのパス確立要求を含む場合は、その一つのパス確立要求に基づいてパス確立が可能かを確認し、（２）複数パス要求情報のように複数のパス確立要求を含む場合は、その複数のパス確立要求に基づいて複数のパス確立が可能かを確認する。
【００４８】
着信側のパス確立手段３４０は、パス確立が可能な場合、各々のパスを確立させる手段である。
着信側の広告内容検討手段３５０は、着信側のパス確立手段３４０によって確立された発信者ノード装置２００との間のパスをどのように広告するかを検討する手段である。検討の内容については、第１実施形態の終わりの部分で、発信側と併せて説明する。
着信側の広告手段３６０は、着信側の広告内容検討手段３５０での検討結果を広告する手段である。
【００４９】
（第１実施形態の処理の流れ）
以下、本発明の第１実施形態に係るマルチレイヤリソース広告を行うネットワークの処理の流れについて、各図面を参照して説明する（図１〜図５参照）。
図５は、本発明の第１実施形態に係るマルチレイヤリソース広告を行うネットワークの処理の流れを示すフローチャートである。なお、このフローチャートでは、中継ノード装置１００は１つだけ記載してあるが、図１に示すように、発信者ノード装置２００と着信者ノード装置３００との間に、中継ノード装置１００−１、１００−２、１００−３といったように、中継ノード装置１００が複数存在するものとする。
【００５０】
発信者ノード装置２００は、パス要求情報生成手段２１０によってパス確立要求を内容とするパス要求情報を生成する（Ｓ１０ｌ）。ここで、同一の着信者ノード装置３００との間に確立するパス確立要求（パス要求情報）が複数存在する場合は、複数パス要求情報生成手段２２０によって１つにとりまとめて（束ねて）複数パス要求情報を生成する（Ｓ１０２）。この際、発信者ノード装置２００は、レイヤについて検討する必要はなく、発信者ノード装置２００が要求するレイヤにおけるリソース要求を行えばよい。ちなみに、本実施形態のマルチレイヤリソース広告を行うネットワークは、レイヤ１（光）〜レイヤ３（ＩＰネットワーク）までの複数階層が存在する光ＩＰネットワークであるが、本実施形態では、ＩＰレイヤを処理するノード（即ちパケットを処理する中継ノード装置１００など）は、レイヤ１のリソースに対する要求を行う必要はなく、あくまでもパケットレイヤであるレイヤ３のリソースに対する要求を行えばよい。
【００５１】
発信側のパス要求情報送信手段２３０によって複数パス要求情報を送信する（Ｓ１０３）。つまり、複数パス要求情報をのせたＰＡＴＨメッセージを中継ネットワーク１０経由で着信者ノード装置３００宛てに送信する。中継ネットワーク１０の中継ノード装置１００は、中継側のパス要求情報受信手段１１０によって複数パス要求情報を受信し（Ｓ１０４）、複数パス要求情報が含む複数のパス確立要求を確認し（Ｓ１０５）、各々のパスが確立可能かを中継側のパス確立確認手段１３０によって隣接する中継ノード装置１００と確認する（Ｓ１０６）。
【００５２】
中継ノード装置１００は、パス確立が可能と判断すると、隣接ノード装置（図１でいうと符号１００−２の中継ノード装置）へ、中継側のパス要求情報送信手段１４０によって発信者ノード装置２００から受信したパス要求情報をのせたＰＡＴＨメッセージを送信する（Ｓ１０７）。なお、中継ノード装置１００からＰＡＴＨメッセージを受信した隣接する他の中継ノード装置１００は、ステップＳ１０４からステップＳ１０７の処理を繰り返す。
【００５３】
着信者ノード装置３００は、１以上の中継ノード装置１００を中継された複数パス要求情報を受信する（Ｓ１０８）。図１でいうと、着信者ノード装置３００は、最終的に中継ノード装置１００−４から複数パス要求情報（該情報をのせたＰＡＴＨメッセージ）を受信する。この受信した複数パス要求情報が含む複数のパス確立要求を確認し（Ｓ１０９）、複数のパス確立要求に基づいて各々のパスが確立可能かを確認し（Ｓ１１０）、パス確立が可能な場合は各々パスを確立する（Ｓ１１１）。
【００５４】
中継ノード装置１００は、着信者ノード装置３００からのパス確立が可能であることを示すメッセージ（ＲＥＳＶメッセージ）を受け取ると、自らもパスを確立する（Ｓ１１２）。
【００５５】
発信者ノード装置２００は、中継ノード装置１００からのパス確立が可能であることを示すメッセージを受け取ると、自らもパスを確立する（Ｓ１１３）。確立したパスが複数のパスからなる場合は広告する内容を検討し、検討結果を広告する（Ｓ１１４）。同じように、着信者ノード装置３００も、複数パスが確立できた後、発信者ノード装置２００との間に確立された複数パスの広告内容を検討後、検討結果を広告する（Ｓ１１５）。
【００５６】
ここで、発信側・受信側の広告内容検討手段２５０，３５０の検討の内容について、着信側の広告内容検討手段３５０を例に説明する。着信者ノード装置３００と任意の発信者ノード装置（符号２００の発信者ノード装置を含む）との間に、複数のパスが確立されているとする。着信側の広告内容検討手段３５０は、束ねることができる広告が存在するか否かを検討する。例えば、発信者ノード装置２００と着信者ノード装置３００との間の同一経路にて、次の３つのパス、（１）「パスＡ：帯域３０Ｍ・プライオリティ０」、（２）「パスＢ：帯域２０Ｍ・プライオリティ２０Ｍ」、（３）「パスＣ：１０Ｍ・プライオリティ２」が同時に（併せて）確立されているとする。着信側の広告内容検討手段３５０の検討結果は、この３つのパス（つまり同一経路にて確立された複数のパス）は束ねることができるというものになる。次に、着信側の広告内容検討手段３５０は、この３つのパスの束ね方について検討し、次のように束ねる（バンドルする）。即ち、「パス：帯域３０Ｍ・プライオリティ０，帯域５０Ｍ・プライオリティ１，帯域６０Ｍ・プライオリティ２」というように束ねる。なお、プライオリティのレベルの値が小さいほど重要度が高い。そして、こうして束ねた広告を、広告手段３６０が、１つの広告として１つの経路で広告する。これにより、スケーラビリティの軽量化が可能となる（ルーティングによる軽量化）。発信側の広告内容検討手段２５０についても同様に検討を行う。ちなみに、第１実施形態では、ＰＡＴＨメッセージ（複数パス要求情報）の送信や受信により、また、ＰＡＴＨメッセージに対する応答メッセージの送信や受信により、束ねることができるパスを知ることができる。もちろん、ＰＡＴＨメッセージなどによらず、現に確立されているパスを確認することで、束ねることができる広告を知ることができる。
なお、前記した広告の束ね方は一例であり、必ずしもこの束ね方に限定されるものではない。また、プライオリティについて、数値が小さい方がハイプライオリティとなるが、これは標準規定（RFC3209）に基づくもので、プライオリティについての考えが、この標準規定以外のものであってもよい。
【００５７】
以上説明したように、本発明の第１実施形態に係るマルチレイヤリソース広告を行うネットワークは、発信者ノード装置２００が同一の（同じ）着信者ノード装置３００との間に確立する複数のパスの要求を同時に（併せて）実施することで、同一経路にて複数のパスを同時に確立することが可能となり、この点からスケーラビリティの軽量化が可能となる（シグナリングによる軽量化）。また、このようにすることで、複数パスを１つのパスとして広告することができるので、広告すべき経路数を削減することが可能となり、この点からもスケーラビリティの軽量化（ルーティングによる軽量化）が可能となる。
【００５８】
なお、各ノード装置（１００，２００，３００）は、プログラムを実行するための構成として、ＣＰＵ（Central Processing Unit）、ＲＡＭ（Random Access Memory）、ＲＯＭ（Read Only Memory）、外部記憶装置などを備えており、ＣＰＵがＲＯＭや外部記憶装置に記憶されたプログラムやデータをＲＡＭ上に読出し、このプログラムを実行することで、各ノード装置（１００，２００，３００）の各手段を構成し又は各手段を機能させるものとする。
【００５９】
≪第２実施形態≫
次に、本発明の第２実施形態を、図面を参照して説明する。なお、この第２実施形態は、マルチレイヤリソース広告を行うネットワークにおいて、とりまとめ可能な複数のパス確立要求を後でとりまとめることができるように識別情報により関連付けた複数パス要求情報（第２の複数パス要求情報）に基づいて同一経路に複数のパスを確立するものである。この第２実施形態では、第１実施形態と共通の構成には同じ符号を付してその説明を省略する。
図６は、本発明の第２実施形態に係る中継ノード装置１００’のブロック構成図である。
【００６０】
（中継ノード装置）
図６に示すように、中継ノード装置１００’は、中継側のパス要求情報受信手段１１０、複数パス要求情報確認手段１９０、Ｔｉｍｅｒ設定手段１６０、中継側のパス確立確認手段１３０、中継側のパス要求情報送信手段１４０、中継側のパス確立手段１５０、Ｔｉｍｅｒ設定解除手段１７０、パス確立拒否手段１８０から構成される。
【００６１】
中継ノード装置１００’について、前記した第１実施形態とは異なり、複数パス要求情報確認手段１９０は、発信者ノード装置２００’（図７参照）と着信者ノード装置３００’（図８参照）との間に確立するパスに関して、複数のパス確立要求がなされるかを（何本のパスが確立される予定か、どれが関連付けられたパス確立要求かを）、識別情報から把握する手段である。
Ｔｉｍｅｒ設定手段１６０は、複数のパス確立要求がなされる場合に、確立される予定の本数（Ｎ本）の複数パス要求情報の受信に備えて、Ｎ本の複数パス要求情報の待ち受け時間をＴｉｍｅｒ設定する手段である。
【００６２】
ここで、第２実施形態で送信される複数パス要求情報の構成例を表２に例示する。
表２に例示するように、第２実施形態の複数パス要求情報は、第１実施形態のものと異なり、パス確立要求を１つしか含まない。このため、同じ経路にＮ本のパスを併せて確立するならば、複数パス要求情報はＮ本送信されることになる。表２の識別情報は、このＮ本送信される複数パス要求情報が、同じ経路にＮ本のパスを確立するための複数パス要求情報であることを、各中継ノード装置１００’や着信者ノード装置３００’に識別させる情報として使用される（Ｎ本の複数パス要求情報を紐付けする情報として使用される）。表２のＩＤはその識別情報の核心をなす識別子である。
【００６３】
【表２】
2005244316.tif 000004
【００６４】
なお、表２の「確立予定のパスの本数Ｎ」は、最初に発信者ノード装置２００’から送信される複数パス要求情報ではＮ、次に発信者ノード装置２００’から送信される複数パス要求情報ではＮ−１といったように、各中継ノード装置１００’や着信者ノード装置３００’に確立予定のパスの本数の残が解るようにデクリメントされるものとする。ちなみに、このように複数パス要求情報に残数が解る情報を含めない場合は、つまり、どの複数パス要求情報にも確立予定のパスの本数としてＮが記載されるような場合は、各中継ノード装置１００’や着信者ノード装置３００’が、受信した複数パス要求情報の数（受信数）とＮの値とから、確立される予定のパスの残数をカウントするような仕組みを有しているものとする。
【００６５】
Ｔｉｍｅｒ解除手段１７０は、中継ノード装置１００’（隣接する他の中継ノード装置１００’）あるいは発信者ノード装置２００’からパス確立のためのリソースが不足していることを通知された際、Ｔｉｍｅｒを解除する手段である。
パス確立拒否手段１８０は、複数パス設定を実施している際に、他の発信者ノード装置２００’あるいは着信者ノード装置３００’との間のパス要求情報を受信した場合に、パス確立要求を拒否する手段である。このように拒否するのは、複数パス要求情報によるパスの確立を、外乱を受けずに確実に行うためである。
なお、本実施形態の中継ノード装置１００’は、Ｔｉｍｅｒの解除以前は、パス確立拒否手段１８０によって複数パス要求情報の受信によるパス確立を優先して行う。しかし、Ｔｉｍｅｒが解除されると、パス確立拒否手段１８０によるパス確立の拒否をとりやめる。これにより、複数パス要求情報の受信よりも先に通常のパス要求情報を受信した場合は、その先に受信した通常のパス要求情報に基づいてパスの確立を行うように動作するようになる。つまり、Ｔｉｍｅｒの解除後は、中継ノード装置１００’は、複数パス要求情報の優先的取扱を行わなくなる。
【００６６】
（発信者ノード装置）
図７は、本発明の第２実施形態に係る発信者ノード装置２００’のブロック構成図である。
図７に示すように、発信者ノード装置２００’は、実施の形態１の複数パス要求情報生成手段２２０（図３参照）とは異なる処理を実施する発信側の複数パス要求情報生成手段２７０を含んでいる。
この発信側の複数パス要求情報生成手段２７０は、発信者ノード装置２００’から着信者ノード装置３００’へ要求される複数のパス確立要求（複数のパス要求情報）が存在した場合、複数のパス確立要求を１つにとりまとめて束ねるのではなくパス要求情報に識別情報を付与して複数パス要求情報とすることで同一ノード間にて、即ち、同じ発信者ノード装置２００’と受信者ノード装置３００’との間に、とりまとめるべき複数のパス確立要求が存在することを知らせる。
【００６７】
なお、識別情報の付与の仕方としては、前記したＰＡＴＨメッセージに独自のオブジェクトを追加するやり方があげられる。また、Ｇｅｎｅｒａｌｉｚｅｄ Ｌａｂｅｌ オブジェクトなどの現在存在するオブジェクトのなかのフォーマットの未規定部分を使用するやり方があげられる。
【００６８】
（着信者ノード装置）
図８は、本発明の第２実施形態に係る着信者ノード装置３００’のブロック構成図である。図８に示すように、着信者ノード装置３００’は、第１実施形態の着信側の複数パス要求情報確認手段３２０（図４参照）とは異なる処理を実施する着信側の複数パス要求情報確認手段３７０を含んでいる。発信者ノード装置２００’から着信者ノード装置３００’へ要求される複数のパス確立要求が存在した場合、着信者ノード装置３００’は、複数のパス確立要求が存在することを示す識別情報からＮ本のパス確立要求が存在することを把握する。
【００６９】
（第２実施形態の処理の流れ）
以下、本発明の第２実施形態に係るマルチレイヤリソース広告を行うネットワークの処理の流れについて、各図面を参照して説明する（図１、図６〜図９など参照）。
図９は、本発明の第２実施形態に係るマルチレイヤリソース広告を行うネットワークの処理の流れを示すフローチャートである。ちなみに、この図９も、前記した図５と同様、発信者ノード装置２００’と着信者ノード装置３００’との間には、中継ノード装置１００’が複数存在するものとする。なお、本発明の第２実施形態に係る処理のうち、本発明の第１実施形態に係る処理と同じ（同一の）ものについては、同じ（同一の）符号を付しそれぞれの説明を省略する。本発明の第１実施形態に係る処理以外を説明するためにＳ１１６からＳ１２３の処理を説明する。
【００７０】
発信者ノード装置２００’は、着信者ノード装置３００’との間に複数のパス確立要求を実施する場合、複数のパス確立要求が存在することを中継ノード装置１００’と着信者ノード装置３００’に知らせるために識別情報を付与して表２に示すような複数パス要求情報を生成する（Ｓ１１６）。
【００７１】
ステップＳ１０３、Ｓ１０４の処理によって複数パス要求情報を受信した中継ノード装置１００’は、複数パス要求情報を確認し、パス確立要求が複数（Ｎ）あることを識別情報から確認する（Ｓ１１７）。そして、Ｔｉｍｅｒが設定されているか否かによって（Ｓ１１８）、Ｔｉｍｅｒが設定されていない場合はＴｉｍｅｒを設定し（Ｓ１１９）、設定されている場合は中継側のパス確立確認手段１３０によってパス確立確認を実施し（Ｓ１２０）、パス確立確認の結果、他の発信者ノード装置（図示外）あるいは着信者ノード装置（図示外）間のパス要求情報を受信した場合（Ｆ１）は、このパス要求情報に係るパスの確立を拒否する（Ｓ１２１）。これは、例えば他のパス要求情報を受け入れることで、複数パス要求情報に係るパスの確立に必要なリソースの不足が生じるといった事態を防止するためである。
【００７２】
中継ノード装置１００’は、中継側のパス確立確認手段１３０によって確認した結果（Ｓ１２０）、受信した情報が複数パス要求情報であっても、複数パスを要求する発信者ノード装置２００’からの要求を満足することができない場合（Ｆ２）、例えばリソースが不足している場合などは、パス確立ができないことを知らせると共に、Ｔｉｍｅｒも解除する（Ｓ１２２）。
【００７３】
中継ノード装置１００’は、複数パスを要求する発信者ノード装置２００’からの複数パス要求情報に含まれる識別情報から２本目以降の複数パス要求情報（パス確立要求）であることを確認した場合（Ｆ３）は、１本目の複数パス要求情報を送信した隣接ノード装置（中継ノード１００’あるいは着信者ノード装置３００’）へ複数パス要求情報を送信する（Ｓ１２３）。このようにすることで、第１実施形態のように、複数のパス確立要求を１つにとりまとめた１つの複数パス要求情報とは異なる２以上の複数パス要求情報であっても、この２以上の複数パス要求情報に基づいて、確実に同一経路に複数のパスを確立できるようになる。
【００７４】
着信者ノード装置３００’は、複数パス要求情報確認手段３７０によって、複数のパス確立要求が存在することを識別情報から確認し（Ｓ１２３）、発信者ノード装置との間にパスが確立可能かを確認するといったＳ１１０などの後続の処理を実行する。
【００７５】
なお、第２実施形態の発信側・着信側の広告内容検討手段２５０，３５０の検討の内容についても、第１実施形態と略同様である。また、着信側・発信側の広告手段２６０，３６０が複数の広告を束ねて１つの経路で広告する点も、第１実施形態と略同じである。ちなみに、第２実施形態は第１実施形態とは異なり、複数パス要求情報には１つのパス確立要求しか含まれていない。このため、発信側・着信側の広告内容検討手段２５０，３５０は、識別情報（表２など参照）に基づいて広告内容を検討することで、束ねることができる広告（束ねるべき広告）を知ることができる。もちろん、現に確立されているパスを確認することによっても、束ねることができる広告を知ることができる。このように広告を束ねることで、第１実施形態と同様にスケーラビリティの軽量化が可能となる（ルーティングによる軽量化）。
【００７６】
以上説明したように、本発明の第２実施形態に係るマルチレイヤリソース広告を行うネットワークは、中継ノード装置１００’にて第１実施形態よりも多くの処理を実施するが、第１実施形態と同様に、発信者ノード装置２００’と着信者ノード装置３００’との間に同一経路にて複数パスを同時に確立することが可能となり、この点からスケーラビリティの軽量化が可能となる。また、複数パスを１つのパスとして広告するので、広告すべき経路情報を削減することが可能となり、この点からもスケーラビリティの軽量化が可能となる。
【００７７】
なお、本発明は、前記した実施形態に限定されることなく、その技術思想の及ぶ範囲で幅広く変形実施することができる。
例えば、複数パス要求情報を、複数のパス確立要求から生成してもよいし、１つのパス確立要求を含むパス確立情報を複数集めて生成してもよい。また、複数パス要求情報に基づいて同一経路に複数のパスを確立する発明と、パスを束ねて広告する発明とは、常にペアで実施する必要はない。また、複数のパスの確立について、同時に確立する必要はない。また、第２実施形態では、１つのパス確立要求を含む複数パス要求情報をＮ本生成することとしたが、複数含んでもよい。複数含ませることで、例えば、全体としてＮあるパス確立要求をＮよりも少ない数（１以上かつＮ−１以下）の複数パス要求情報でカバーするようにしてもよい。
【図面の簡単な説明】
【００７８】
【図１】本発明の第１実施形態に係るマルチレイヤリソース広告を行うネットワークのネットワーク構成図
【図２】本発明の第１実施形態に係る中継ノード装置のブロック構成図
【図３】本発明の第１実施形態に係る発信者ノード装置のブロック構成図
【図４】本発明の第１実施形態に係る着信者ノード装置のブロック構成図
【図５】本発明の第１実施形態に係る処理の流れを示すフローチャート
【図６】本発明の第２実施形態に係る中継ノード装置のブロック構成図
【図７】本発明の第２実施形態に係る発信者ノード装置のブロック構成図
【図８】本発明の第２実施形態に係る着信者ノード装置のブロック構成図
【図９】本発明の第２実施形態に係る処理の流れを示すフローチャート
【符号の説明】
【００７９】
１０    …    中継ネットワーク
１００、１００’  …    中継ノード装置
１１０  …    パス要求情報受信手段
１２０  …    複数パス要求情報確認手段
１３０  …    パス確立確認手段
１４０  …    パス要求情報手段
１５０  …    パス確立手段
１６０  …    Ｔｉｍｅｒ設定手段（第２実施形態）
１７０  …    Ｔｉｍｅｒ解除手段（第２実施形態）
１８０  …    パス確立拒否手段（第２実施形態）
２００、２００’  …    発信者ノード装置
２１０  …    パス要求情報生成手段
２２０  …    複数パス要求情報生成手段
２３０  …    発信側のパス要求情報送信手段
２４０  …    発信側のパス確立手段
２５０  …    発信側の広告内容検討手段
２６０  …    発信側の広告手段
２７０  …    発信側の複数パス要求情報生成手段（第２実施形態）
３００、３００’  …    着信者ノード装置
３１０  …    着信側のパス要求情報生成手段
３２０  …    着信側の複数パス要求情報生成手段
３３０  …    着信側のパス要求情報送信手段
３４０  …    着信側のパス確立手段
３５０  …    着信側の広告内容検討手段
３６０  …    着信側の広告手段
３７０  …    着信側の複数パス要求情報確認手段（第２実施形態）
【図１】
2005244316.tif 000005
【図２】
2005244316.tif 000006
【図３】
2005244316.tif 000007
【図４】
2005244316.tif 000008
【図５】
2005244316.tif 000009
【図６】
2005244316.tif 000010
【図７】
2005244316.tif 000011
【図８】
2005244316.tif 000012
【図９】
2005244316.tif 000013